(57)【要約】      （修正有）【課題】製造コストが安価で、設置作業者の締付けボルト締付け力に左右されず、充分な力で所望の角度に保持・固定でき、無理な力が加わっても締付けボルトが不用意に緩んだりせぬ、液晶テレビ等の機器取付・保持装置を提供する。【解決手段】壁面等１１への取付用基板と、そこへの固定部材３と、固定部材上で縦線ｙの周りに可回動な可動部材４と、該可動部材上で横線の周りに可回動な可動部６と、該可動部材に一体の機器取付用板５と、締付けボルトとからなり、水平方向への角度設定は、固定部材と可動部材との当接面間で菊座状部８，９同士を係合・噛合い可能とし、上下方向への角度設定は、可動部材と機器取付用板の可動部との当接面間で横向きの凹凸条部１０，１１同士を係合・噛合可能とし、締付けボルトを、上記可動部上の前後方向に長い係合用孔１２から可動部材の通孔１３を経て固定部材の雌ネジ孔１４へ螺装して、締付け固定する。【選択図】図１
0003151655.tif 000002
【実用新案登録請求の範囲】
【請求項１】
壁面等１１への取付用基板２と、そこへの固定部材３と、該固定部材３上で縦線ｙの周りに可回動な可動部材４と、該可動部材４上で横線ｘの周りに可回動な可動部６と、該可動部６に一体の機器取付用板５と、締付けボルト７とからなり、
水平方向への角度設定は、固定部材３と可動部材４との当接面間で菊座状部８，９同士を係合・噛合い可能とし、
上下方向への角度設定は、可動部材４と機器取付用板５に一体の可動部６との当接面間で横向きの凹凸条部１０，１１同士を係合・噛合可能とし、
締付けボルト７を、上記可動部６上の前後方向に長い係合用孔１２から可動部材４の通孔１３を経て固定部材３の雌ネジ孔１４へ螺装させたことを特徴とする、液晶テレビ等の機器取付・保持装置。
【請求項２】
壁面等１１への取付用基板２と、そこへの固定部材３と、該固定部材３上で縦線ｙの周りに可回動な可動部材４と、該可動部材４上で横線ｘの周りに可回動な可動部６と、該可動部６に一体の機器取付用板５と、締付けボルト７とからなり、
上記固定部材３は、取付用基板２へ装着可能な取付用板１９の前部に突出して、その上面に菊座状部８を形成すると共に、中央部に上下方向へ締付けボルト用の雌ネジ孔１４を形成し、
上記可動部材４は横向きカマボコ形で、その湾曲した上面に横向き凹凸条部１０を多数本有すると共に、下面に上記固定部材３の菊座状部８に係合して噛合い可能な菊座状部９を形成して、中央部に上下方向へ締付けボルト用の通孔１３を形成し、
上記機器取付用板５は後部に一体に装着した可動部６が、上記可動部材４へ冠合可能な横向きカマボコ形凹殻状で、その上内面に上記可動部材４の横向き凹凸条部１０に係合して噛合い可能な横向き凹凸条部１１を多数本有すると共に、ボルト係合用孔１２を前後方向へ長く形成して、
該可動部６のボルト係合用孔１２から可動部材４の通孔１３を経て、固定部材３の雌ネジ孔１４へ締付けボルト７を螺装してなる、液晶テレビ等の機器取付・保持装置。
【考案の詳細な説明】
【技術分野】
【０００１】
本考案は、例えば液晶テレビ、音響スピーカー、監視用カメラ等の機器を、壁面、天井面又はフロアースタンド等に所望の角度に調節して取付保持可能な装置に関するものである。
【背景技術】
【０００２】
液晶テレビ、音響スピーカー、監視用カメラ等の機器は、壁面、天井面又はフロアースタンド等に、所望の角度で取付けて使用されることが多いが、そのための角度調節可能な取付け保持手段として、従来例えば次のようなものがある。
【０００３】
イ）「一面に所定径のネジ穴を有する機器を、その姿勢が可変できるように支持するための支持装置に用いられ、軸部と、該軸部の一端側に設けられた球形部と、前記軸部の他端側に設けられ前記機器のネジ穴に螺合するネジ部とを有し、前記軸部とネジ部を外方に突出させた状態で前記球形部を中心にして揺動自在に支持され、前記球形部に対する所定部材の当接を受けて揺動が規制される支持装置の揺動軸」において、その軸部・球形部・ネジ部等の主要部を金属製または硬質合成樹脂製としたもの（下記特許文献１の明細書の従来の技術の項、図１５，図１６の記載参照）。
【０００４】
ロ）「一面に所定径のネジ穴を有する機器を、その姿勢が可変できるように支持するための支持装置に用いられ、軸部と、該軸部の一端側に設けられた球形部と、前記軸部の他端側に設けられ前記機器のネジ穴に螺合するネジ部とを有し、前記軸部とネジ部を外方に突出させた状態で前記球形部を中心にして揺動自在に支持され、前記球形部に対する所定部材の当接を受けて揺動が規制される支持装置の揺動軸」において、
【０００５】
「揺動軸は、硬質の合成樹脂製の軸本体３８と、軸本体下端の半球部に固定され、その半球部とともに揺動軸の球形部を形成するゴム等の軟質合成樹脂製の半球体４５と、軸本体上端のネジ台上に載置された金属製のネジ体５０と、ネジ台に上方から嵌着して、ネジ体のネジ部５２を上方へ突出させ、かつネジ体の回転および抜けを規制する硬質合成樹脂製の円筒体５３とで構成されており、第１の操作体３１のボール収容部３４にその球形部が収容された状態で揺動自在に支持され、そのボール収容部へ向かって下方から螺着される支持軸が半球体４５に当接すると、揺動が規制される（ようにし）、円筒体５３の外周のネジ溝には第２の操作体６０が螺着されている（もの）」（上記特許文献１の要約書、発明の詳細な説明の項および図１ないし図１４の記載参照）。
【０００６】
ハ）ボールジョイントに関するものであり、「一方の継ぎ手部材を構成する表面に多数のディンプルを形成した球体部と、この球体部の外周を囲む球状凹面を持ちこの球体部の外周に被せられて他方の継ぎ手部材を構成する球状凹面部材と、前記球体部の表面に弾性的に押圧されるように前記球状凹面部材に取り付けられた固定用部材とからなるもの（下記特許文献２の請求項２参照）。
【０００７】
ニ）これもボールジョイントに関するものであるが、「ソケットと、該ソケットのソケット穴にベアリングを介在させて回動自在に連結されたボール部を有するボールスタッドを具備してなるボールジョイントにおいて、上記ベアリングの上記ソケット穴の壁面に接する外周面に、円環状又はディンプル形状の突起を複数個設けたもの（下記特許文献３の請求項１、図３参照）。
【０００８】
ホ）本願と同一出願人（当時は有限会社オーシャン・シップ）が先に出願したものである。「壁面等１１へ取付けた取付け用基板２へ取付ける金属製の固定部材３と、該固定部材３へ可回動に取付ける金属製の可動部材４と、金属製の締付けボルト５とからなり、上記固定部材３は、後側に上記取付け用基板２へ取付ける板状部６を設け、その前側に上方へ向けて半球状部７を突設して、該半球状部７の外周面に多数の係止用小凸部８をほぼ等間隔状に形成すると共に、該半球状部７の中央頂部から内部下方へ締付けボルト用の雌ネジ孔９を形成し、上記可動部材４は、前側に液晶テレビ等の機器１０を取付け可能な板状部１１を設け、その後側に上記半球状部７へ冠合可能な形状の半球殻状部１２を設けて、該半球殻状部１２の内周面に上記係止用小凸部８にほぼ対応する多数の係止用小凸部１３をほぼ等間隔状で形成すると共に、該半球殻状部１２にその頂部から前後方向へ長いボルト通挿用孔１４を形成し、上記半球状部７へ冠合した半球殻状部１２の上部からボルト通挿用孔１４を経て、締付けボルト５を前記雌ネジ孔９へ螺合させて、可動部材４と固定部材３とを締付け固定可能とした（もの）」（後記特許文献４の請求項１参照）。
【先行技術文献】
【特許文献】
【０００９】
【特許文献１】特開平７−２２９５１３号公報
【特許文献２】特開平１０−２７４２３５号公報
【特許文献３】特開平５−５２２１２号公報
【特許文献４】実用新案登録第３１１９１７１号公報
【考案の概要】
【考案が解決しようとする課題】
【００１０】
ところが、上記従来のものには、次のような問題点があった。
まず上記イ）のものは、構造が比較的複雑であり、これを金属製にすると製造コストが高くなるし、合成樹脂製にするとネジ部分の強度が弱くなる。また球体部とそれを受ける凹球面部間での摩擦力があまり大きくならず、特に大型の液晶テレビ等のような重量の大きい機器を、所望の角度で保持して取付・固定する場合には使用が無理であった。
【００１１】
次に上記ロ）のものは、硬質合成樹脂と軟質合成樹脂とを組合わせて、強度と摩擦力を大きくしようとしているが、構造が複雑でやはり製造コストが高くなってしまうし、大型の機器を固定するには強度上の問題が生じる。また揺動（所望角度への変更）を何度も繰り返して使用することで、磨耗により使用期間が短くなってしまうというおそれもある。        
【００１２】
上記ハ）のものは、互いの摺動を固定する固定用部材として、球体部表面のディンプルにバネで付勢された接触片を設けてあるが、バネ力による押圧では、大型の液晶テレビ等のような重量の大きい機器を所望の角度で保持して取付・固定することは無理である。
【００１３】
上記ニ）のものは、外周面に多数個の突起を形成した半球状の部材を用いているが、これは耐摩耗性をもつ合成樹脂の弾性変形による弾発力により、ソケット内のボールスタッドに適正な作動トルクを与えるものである。またこれは、ボールスタッドが作動する際に適正なトルクをもたせるためのものであって、本願のように大型の液晶テレビ等の重量の大きい機器を所望の角度で取付・固定する装置に応用することができない構造である。
【００１４】
そして上記ホ）のものは、イ），ロ），ハ，ニ）で述べた問題点を解決すべく考案したものであり、固定用部材３の半球状部７外周面の多数の係止用小凸部８と、可動部材４の半球殻状部１２外周面の係止用小凸部１４とが互いに係合するようにしたことにより、大型の液晶テレビ等の重量の大きい機器でも所望の角度で取付け・固定可能になった。
【００１５】
しかし、その取付け固定力・保持力は、取付け作業者が締付けボルト５を締付ける締付け力に左右される面があった。また使用現場でユーザー・客等が、液晶テレビ等の機器を勝手に無理な力で動かすことがあり、そのため締付けボルト５が不用意に緩んでしまい、液晶テレビ等の機器が自重で傾いてしまうことも皆無ではない、という問題点も見つかった。
【００１６】
本考案は、液晶テレビ等の取付・保持装置が有する上記問題点を解決しようとするものである。即ち本考案の目的は、シンプルな構成で製造コストが高くつかず、大型の液晶テレビ等のような重量の大きい機器でも、取付け作業者の締付け力に左右されることなく、一層充分な力で所望の角度に保持・固定でき、必要に応じてその角度を変更することも容易に行えると共に、ユーザー・客等が勝手に無理な力で動かした場合でも締付けボルトが不用意に緩んでしまうことを無くした、液晶テレビ等の機器取付・保持装置を提供することにある。
【課題を解決するための手段】
【００１７】
本考案に係る液晶テレビ等の機器取付・保持装置は
壁面等１１への取付け用基板２と、そこへの固定部材３と、該固定部材３上で縦線ｙの周りに可回動な可動部材４と、該可動部材４上で横線ｘの周りに可回動な可動部６と、該可動部６に一体の機器取付用板５と、締付けボルト７とからなり、
水平方向への角度設定は、固定部材３と可動部材４との当接面間で菊座状凹凸部８，９同士を係合・噛合い可能とし、
上下方向への角度設定は、可動部材４と機器取付用板５に一体の可動部６との当接面間で横向きの凹凸条１０，１１同士を係合・噛合可能とし、
締付けボルト７を、上記可動部６上の前後方向に長い係合用孔１２から可動部材４の通孔１３を経て固定部材３の雌ネジ孔１４へ螺装させたものである。
【００１８】
上記構成において、可動部材４の湾曲した上面と、凹殻状可動部６の湾曲した上内面とは、側方から見てほぼ同心円弧状になるように形成しておくのがよい。壁面等１とは、例えば壁面、天井面、フロアースタンドその他で液晶テレビ等の機器１５を取付ける相手方を指す。また上記で設置する機器は、例えば液晶テレビ、音響スピーカー、監視用カメラその他の機器を意味する。上記各菊座状部８，９や各凹凸条部１０，１１は、同時に多くのものが係合して噛み合うようにしておくのがよい。
【考案の効果】
【００１９】
ａ）従来のこの種のものと比べて、シンプルな構成で製造コストも安価になる。
即ち、本考案に係る装置は、上記の如く、取付用基板２と、固定部材３と、可動部材４と、可動部６と一体の機器取付用板５と、締付けボルト７とからなる構成で、鉄製の締付けボルト７等以外は、例えば亜鉛ダイカストにて容易に製造可能である。そのため、従来のこの種のものと比較して、製造コストを低減でき安価に提供することができる。
【００２０】
ｂ）例えば大型の液晶テレビのように大きい重量の機器でも、所望の取付け角度を強固に保持して設置でき、不用意に上下方向の設置角度が変わることを無くせる。
即ち、本考案に係る装置は、上下方向の回動は、上記可動部材４の湾曲した上面に形成の横向き凹凸条部１０と、機器取付用板５に一体の可動部６で湾曲した内上面に形成の横向き凹凸条１１とを係合・噛合わせた状態で、締付けボルト７を締付けることで固定している。
【００２１】
これで、凹凸条部１０，１１同士が言わば歯形同士の係合・噛合い状態に近いものになる。そのため、この装置によれば、取付ける機器１５が例えば大型の液晶テレビ等のように重量の大きいものであっても、従来のものと異なり、上記凹凸条部１０，１１同士の係合・噛合いによる係止力で、上下方向への傾きを充分に阻止し、機器１５を所望の角度で設置することができる。
【００２２】
ｃ）また機器１５の水平方向への角度設定についても、所望の取付け角度で強固に設置でき、不用意に水平方向の角度が変わることを無くせる。
即ち、本考案に係る装置では、水平方向の回動は、固定部材３上面に形成した菊座状部８と、可動部材４下面に形成した菊座状部９とを係合・噛合わせた状態で、締付けボルト７で締付け固定している。そのため、菊座状部８，９同士が歯形同士の係合・噛合いに似た状態になっているから、一旦この装置で機器１５を設置した場合は、機器１５が不用意に水平方向へ回動して角度が変わることもない。
【００２３】
ｅ）本考案の装置によれば、締付けボルト７が不用意に緩んで、機器が不用意に上下方向に傾いたり、左右方向へ回動することが無い。
即ち、上記のように、機器１５を一旦所望の角度で取付けた後は、例えば客やユーザー等により無理に不用意な外力が加わっても、菊座状部８，９同士の係合・噛合いで可動部材４は左右方向へ回動しない。また機器取付用板５も可動部６の内上面と可動部材４の上面の凹凸条部１０，１１同士の係合・噛合いで上下方向へも回動しないから、締付けボルト７が緩んでしまうことは無い。そのため、従来のように締付けボルトが不用意に緩み、機器が不用意に上下方向や左右方向へ回動してしまうことを防止できる。
【００２４】
ｅ）また本考案に係る装置によれば、締付けボルト締付けの力の差で左右されることがなく、機器１５を確実に所望の角度に設置できる。
即ち、上記の如く凹凸条部１０，１１同士や菊座状部８，９同士を各々係合させた状態で、締付けボルト７を締付けるものであるから、各々は確実に係合・噛合うことになる。そのため、各凹凸条１０，１１同士や菊座状部８，９同士の係合・噛合いは、締付けボルト７を締付ける作業者の締付け力の差に左右されず、常に確実に係合・噛うことになり、機器１５を確実に強固に設置できる。
【００２５】
ｆ）締付けボルト７を回して緩めれば、凹凸条部１０，１１同士や菊座状部８，９同士の係合・噛合いが外れてフリー状態になるから、一旦取付・固定後も必要に応じて機器１５を上下方向や左右方向へ回動して角度を変更でき、その後に締付けボルト７の締付けで強固に設置できる。その上下方向への角度変更時には、機器取付用板５と一体の可動部６に形成したボルト係合用孔１２が前後方向へ長いので、該係合用孔１２付き可動部６と一体の機器取付用板５は、該締付けボルト７をカイドとして上下方向へ回動して、所望の上下方向の角度を得ることができるから、その後に締付けボルト７を締付ければよい。
【図面の簡単な説明】
【００２６】
【図１】本発明に係る装置の実施例を示し、要部の分解斜視図である。
【図２】本発明に係る装置の実施例を示し、縦断側面図である。
【図３】本発明に係る装置の実施例を示し、機器を水平状（機器取付用板を垂直状）に設置した場合の側面図である。
【図４】本発明に係る装置の実施例を示し、機器を斜め下向きに設置した場合の側面図である。
【考案を実施するための形態】
【００２７】
液晶テレビ等の機器の取付装置において、水平方向への角度設定は、縦線ｙの周りに可回動にして、上・下面の菊座状部８，９同士の係合・噛合いにより強固に固定可能とし、また上下方向への角度設定は、横線ｘの周りに可回動として、横向きの凹凸条部１０，１１同士の係合・噛合いにより強固に固定可能としてある。
【実施例１】
【００２８】
ここでの実施例は、機器１５として液晶テレビを壁面１へ取付けるもので説明するが、壁面等１への取付用基板２と、該取付用基板２へ装着する固定部材３と、該固定部材３上で縦線ｙの周りに可回動に設けた可動部材４と、該可動部材４上で横線ｘの周りに可回動に設けた可動部６と一体の機器取付用板５と、締付けボルト７とからなる。
【００２９】
上記壁面等１への取付用基板２は、ここでは縦が約１１０ｍｍ、横幅が約８０ｍｍ、厚さ約２ｍｍのＨ形をした鉄板製で、四隅と中央間両側に取付ネジ用の孔（図示省略）を有すると共に、前面の両側寄りに下方で間隔が狭くなる如く縦長に２本の取付用掛止縁１８を切起こし形成してある。
【００３０】
上記固定部材３は、ここでは亜鉛ダイカスト製の一体成形物で円盤状をしており、後側（壁面側）に上記取付用基板２の後部に掛止縁１８間へ上方から係合可能な取付用板状部１９を有し、その前側（手前側）の二枚の立設した板状支持部２０上に形成してある。
【００３１】
該円盤状の固定部材３は、ここでは直径約２５ｍｍの円盤状で、その上面に多数の菊座状部８を形成してあり、中央部に下方へ向けて締付けボルト７を螺装用の雌ネジ孔１４を形成してある。
【００３２】
上記可動部材４は、ここでは亜鉛ダイカスト製の一体成形物で、側方から見て上方に膨らんだほぼ半円柱状のカマボコ形をしている。その下面には上記固定部材３上面の菊座状部８と係合して噛合い可能な菊座状部９を形成し、また湾曲した上面には横方向への凹凸条部１０を多数本形成し、かつ中央部に下方へ向けて締付けボルト通挿用の通孔１３を形成してある。
【００３３】
上記機器取付用板５は、縦・横が各約１２０ｍｍの鉄板製で、四隅近くに機器取付用ネジのために斜め状に取付用孔を形成し、その後側（壁面側）には、二枚の立設した板状支持部２１下部に、上記可動部材４へ冠合可能な側方から見て上方へ膨らんだカマボコ形凹殻状の可動部６を、ネジ止めで一体化してある。
【００３４】
そして該カマボコ形凹殻状の可動部６内上面に、上記カマボコ形の可動部材４上面の多数本の凹凸条部１０へ係合して噛合い可能な凹凸条部１１を多数本形成すると共に、締付けボルト７を通挿可能なボルト係合用孔１２を前後方向へ長く形成してある。
【００３５】
上記締付けボルト７は、ここでは外径約６ｍｍのものを用いており、ここでは上部につまみ部１７を有するもので、亜鉛ダイカスト製の押えワッシャ１６を介して、可動部６のボルト係合用孔１２・可動部材４の通孔１３を経て、固定部材３のボルト螺装用の雌ネジ孔１４へ螺装して、締付け固定するものである。
【００３６】
これにより、締付けボルト７を締付ければ、各凹凸条部１０，１１同士や菊座状部８，９同士の係合・噛合いにより、その状態を強固に保持できるから、液晶テレビ等の機器１５は上下方向及び横方向へ所望の角度で確実・強固に設置される。また締付けボルト７を緩めれば、各凹凸条部１０，１１同士や菊座状部８，９同士の係合・噛合いが外れてフリー状態になるから、一旦取付・固定後でも必要に応じて機器１５の設置角度が変更可能となる。
【実施例２】
【００３７】
上記実施例１では、液晶テレビ等の機器１５を壁面１へ設置する例を示した。図示は省略するが、取付用基板２を天井面から吊下げるようにすれば、液晶テレビ等の機器を天井から吊るした状態で、上記と同様に所望の角度で確実・強固に設置できる。また取付用基板２をフロアスタンドに取付ければ、フロアスタンド上に液晶テレビ等の機器１５を所望の角度で強固に設置できることになる。
【００３８】
なお上記各実施例で、締付けボルト７は上部につまみ部１７を有するものとしたが、それに限らず、頭部が多角形の例えば六角ボルトとしてもよいことは勿論である。
【産業上の利用可能性】
【００３９】
大型の液晶テレビ等の重量の大きい機器を所望の角度で設置する際に、シンプルな構成で製造コストが高くならず、取付け作業者の締付け力に左右されることなく所望の角度で強固に設置でき、ユーザー等が勝手に無理な力で動かそうとしても締付けボルトは不用意に緩んだりせず、かつ必要に応じて設置角度の変更も行えるようにしたい場合に、有用なものである。
【符号の説明】
【００４０】
１−壁面等
２−取付用基板
３−固定部材
４−可動部材
５−取付用板
６−可動部
７−締付けボルト
８−菊座状部
９−菊座状部
１０−凹凸条部
１１−凹凸条部
１２−ボルト係合用孔
１３−通孔
１４−雌ネジ孔
１５−機器
１６−ワッシャ
１７−つまみ部
１８−取付用掛止縁
１９−取付用板状部
２０−板状支持部
２１−板状支持部
ｘ−横線
ｙ−縦線
【図１】
0003151655.tif 000003
【図２】
0003151655.tif 000004
【図３】
0003151655.tif 000005
【図４】
0003151655.tif 000006